(57)【要約】【課題】暴漢取り押さえ具を部屋の美観を損なうことなく配備する。【解決手段】家具や壁面の隅角に適合する暴漢取り押さえ具であって、  二本の棒状突起とその分岐部付近から鉛直方向に伸びる柄からなる三つ又状の暴漢取り押さえ具１０であって、壁あるいは家具２０の隅角を形成するところの二辺に適合する暴漢取り押さえ用の二本の棒状突起１１と、残る一辺に適合する柄１２を具え、壁あるいは家具の隅角付近に適合することにより部屋や廊下の美観を損なうことなく保管できることを特徴とする暴漢取り押さえ具である。【選択図】図１
2007078334.tif 000002
【特許請求の範囲】
【請求項１】
二本の暴漢取り押さえ用の棒状突起とその分岐部付近から鉛直方向に伸びる柄からなる三つ又状の暴漢取り押さえ具であって、
壁あるいは家具の隅角を形成するところの二辺に適合する暴漢取り押さえ用の二本の棒状突起と、
残る一辺に適合する柄を具え、
壁あるいは家具の隅角付近に適合することにより部屋や廊下の美観を損なうことなく保管できることを特徴とする暴漢取り押さえ具。
【請求項２】
磁石を取り付けるかあるいは本体を磁性化させることにより、金属製の家具、金属製の建材あるいは金属製の固定用金具と容易に脱着できるようにした、請求項１記載の暴漢取り押さえ具。
【請求項３】
壁あるいは家具の隅角の形状にあわせて、三本以上の暴漢取り押さえ用の突起を具える請求項１記載の暴漢取り押さえ具。
【発明の詳細な説明】
【技術分野】
【０００１】  本発明は、凶器を持って抵抗する暴漢等を捕獲する取り押さえ具に関するものである。
【背景技術】
【０００２】  凶器をもって抵抗する暴漢等の逮捕には、従来、刺す股と呼ばれる逮捕用具が活用されている。図６は、刺す股の一般的な形状を示す説明図である。刺す股は、単独で使用する場合には暴漢を壁に押しつけ、あるいは複数を用いて暴漢の体に押しつけて自由を奪う形で有効に作用する取り押さえ具である。【０００３】  この刺す股については、より効率よく暴漢等を取り押さえるために改良を加えられた装置として、例えば特許文献１記載の逮捕刺す股や特許文献２記載の暴漢取り押さえ具等多数が知られている。
【特許文献１】特開２００４−３７１５
【特許文献２】特開２００３−３０７４００
【発明の開示】
【発明が解決しようとする課題】
【０００４】  しかしながら、銀行や役所等の公的な場に暴漢が突然侵入してきた場合には、刺す股等の保管場所まで取り押さえ具を取りに行く時間的余裕がない場合がほとんどであり、暴漢に対する初期対応を極短時間で行うことはできないかという要望がなされていた。【０００５】  また、一般に保管場所に保管されている取り押さえ具の数は少数であり、暴漢に対応し得る職員等の人数に比して充分な数を保管し難いという欠点があった。【０００６】  さらに、銀行や役所等の公的な場は、市民の日常的な生活の場であり、暴漢を取り押さえることを目的とした器具を衆目の前に多数準備することは、市民の不安感をあおる場合もあり、必ずしも施設環境の美的整備になじまない等の多くの課題があった。
【課題を解決するための手段】
【０００７】    本発明は、上記従来技術の課題を有利に解決するためになされたものであり、本発明の暴漢取り押さえ具は、壁あるいは家具の隅角付近に適合することにより部屋や廊下の美観を損なうことなく、身近に多数保管できるようにするという着想に基づく、簡単な構成の器具である。【０００８】  すなわち、本発明の暴漢取り押さえ具は、暴漢が突然乱入してきた場合に、当該場所に勤務する職員等が、身近の家具や壁から容易に取り外して使用することができる構造を具えてなるものである。
【発明の効果】
【００９】  かかる本発明の暴漢取り押さえ具は、衆目には一般的な家具あるいは壁の構成要素としか見えない構造ならびに色調であることから、銀行や役所等の公的な機関の雰囲気を損なう事なく、多数の暴漢取り押さえ具を保管することを可能にする。【００１０】  従って、本発明の暴漢取り押さえ具は常に身近に必要充分な数が存在することになり、暴漢が突然乱入してきた場合には、当該場所に勤務する職員等が、瞬時に身近の家具や壁から容易に取り出して協力して暴漢の取り押さえあるいは自身の防御を行うことができる。【００１１】  また、乱入してきた暴漢は、予期せぬ多数の取り押さえ具を見ることになり、暴行の意志を消失させる効果を発揮する。
【発明を実施するための最良の形態】
【００１２】  以下、本発明の実施の形態を実施例によって、図面に基づき詳細に説明する。ここに、図１は、本発明の暴漢取り押さえ具の一実施例としての取り押さえ具を家具の隅角に保管した状態を示す斜視図、図２は上記実施例の三面図であり、図中符号１０は本発明の実施例、２０は家具の一例としてのロッカーをそれぞれ示す。【００１３】  本実施例の暴漢取り押さえ具１０は、家具の隅角を挟む３辺に適合する形で保管されるものであり、暴漢の取り押さえに際して柄として把持に用いる最も長い部分と、暴漢に向けて押しつけることによって暴漢の自由を奪うことを目的として装備された２本の棒状突起を具える。【００１４】  本実施例においては、暴漢取り押さえ具は家具の隅角に適合する形で保管されており、また色調も家具に適合しているために保管された状態では部屋の美観を損なうことはない。【００１５】  本暴漢取り押さえ具は、最も望ましくは磁力を帯びた部材で作製されるかあるいは磁力を利用した取り付け機構によって家具に容易に着脱する構造を具える。【００１６】  従って、本実施例の暴漢取り押さえ具１０によれば、部屋の美観を損なうことなく多数の取り押さえ具を部屋に設置することが可能となり、必要時に必要本数の取り押さえ具を瞬時に手にすることが可能になり、手にした者はこれを用いて暴漢を取り押さえるかあるいは護身を行うことができる。【００１７】  図３は、上記実施例の暴漢取り押さえ具１０の一変形例を示す斜視図であって、暴漢取り押さえ具３０を机４０の天板裏面に保管した状態を示す斜め後下方から見たものであり、本暴漢取り押さえ具が多くの家具に適合できることを示している。【００１８】  図４は、上記実施例の暴漢取り押さえ具１０の一変形例を示す略線図であり、暴漢取り押さえ具５０を壁面隅角に保管した状態を示すものである。【００１９】  図５は、上記実施例の暴漢取り押さえ具５０の一変形例を示す略線図であり、壁面隅角が複雑な形態を示す場合にも暴漢取り押さえ具は、図５に示すように壁面形状に応じた形に形状を変化させても良い。【００２０】  図６は、上記実施例の暴漢取り押さえ具５０の一変形例を示す略線図であり、壁面隅角の形状が許せば３本以上の暴漢取り押さえ用の突起を具えても良い。【００２１】  かかる実施例によっても、暴漢取り押さえ用の突起の効果を除いて先の実施例と同様の効果をもたらすことができる。【００２２】  以上、図示例に基づき説明したが、本発明は上述の例に限定されるものでなく、特許請求の範囲の記載範囲内で適宜変更し得るものであり、例えば壁面あるいは家具への脱着に関しては単純なフックを用いても良く、また、柄の部材については伸縮が可能なものであっても良い。
【産業上の利用可能性】
【００２３】  かくして本発明の暴漢取り押さえ具によれば、種々の施設において美観を損なうことなく多数の暴漢取り押さえ具を配備することができ、しかも手近に配備することが可能であるために必要時に必要な人数分の暴漢取り押さえ具を瞬時に手にすることができる。
【図面の簡単な説明】
【００２４】
【図１】本発明の暴漢取り押さえ具の一実施例としての取り押さえ具を家具に保管した状態を示す斜視図である。
【図２】本実施例の暴漢取り押さえ具の三面図である。
【図３】本発明の暴漢取り押さえ具の他の一実施例としての取り押さえ具を机天板の下面に保管した状態の後下方からの斜視図である。
【図４】本発明の暴漢取り押さえ具の他の一実施例としての取り押さえ具を壁面隅角部に保管した状態を示す略線図である。
【図５】本発明の暴漢取り押さえ具の他の一実施例としての取り押さえ具を複雑な形態を示す壁面隅角部に保管した状態を示す略線図である。
【図６】本発明の暴漢取り押さえ具の他の一実施例としての取り押さえ具であり暴漢取り押さえ用の突起３本を具える実施例を壁面隅角部に保管した状態を示す略線図である。
【符号の説明】
【００２５】１０  暴漢取り押さえ具
１１  暴漢取り押さえ用棒状突起
１２  柄
２０  家具例（ロッカー）
３０  暴漢取り押さえ具
４０  家具例（机）
５０  暴漢取り押さえ具
５５  壁面
５７  天井
６０  暴漢取り押さえ具
７０  暴漢取り押さえ具
【図１】
2007078334.tif 000003
【図２】
2007078334.tif 000004
【図３】
2007078334.tif 000005
【図４】
2007078334.tif 000006
【図５】
2007078334.tif 000007
【図６】
2007078334.tif 000008